(57)【要約】【課題】  散熱機能を具えたローター機構を提供する。【解決手段】  主に少なくともこしき、カバーを含む。該カバーは封鎖側及び開放側を具え、該封鎖側及び該開放側間には側壁を形成する。かつ該封鎖側は少なくとも一辺が該封鎖側と接続する複数の突起部を形成し、該突起部の該封鎖側と接続しない側は該封鎖側を貫通し、欠口を形成する。該こしきは封鎖端及び開放端を具え、該封鎖端と該開放端間には肩壁を接続する。該こしきは該カバーの外表面に設置し、該こしきの封鎖端には該貫通孔を形成する。該カバーの欠口と該こしきの貫通孔より流体は出入りし、散熱を達成する。【選択図】  図  ２
2006161784.tif 000002
【特許請求の範囲】
【請求項１】
主に少なくともこしき、カバーを含み、
該カバーは封鎖側及び開放側を具え、該封鎖側及び該開放側間には側壁を形成し、かつ該封鎖側は少なくとも一辺が該封鎖側と接続する複数の突起部を形成し、該突起部の該封鎖側と接続しない側は該封鎖側を貫通し、欠口を形成し、
該こしきは封鎖端及び開放端を具え、該封鎖端と該開放端間には肩壁を接続し、該こしきは該カバーの外表面に設置し、該こしきの封鎖端には該貫通孔を形成し、
該カバーの欠口と該こしきの貫通孔より流体は出入りすることを特徴とする散熱機能を具えたローター機構。
【請求項２】
前記該カバーの欠口と前記こしきの貫通孔は径方向に排列することを特徴とする請求項１記載の散熱機能を具えたローター機構。
【請求項３】
前記該カバーの欠口と前記こしきの貫通孔は軸方向に放射状に排列することを特徴とする請求項１記載の散熱機能を具えたローター機構。
【請求項４】
前記こしきの貫通孔は前記該カバーの欠口に正対応することを特徴とする請求項２或いは３記載の散熱機能を具えたローター機構。
【請求項５】
前記該カバーの欠口と前記こしきの貫通孔は位置がずれていることを特徴とする請求項２或いは３記載の散熱機能を具えたローター機構。
【請求項６】
前記こしきの貫通孔内壁は傾斜状を呈することを特徴とする請求項１記載の散熱機能を具えたローター機構。
【請求項７】
前記こしきの貫通孔内壁は非傾斜状を呈することを特徴とする請求項１記載の散熱機能を具えたローター機構。
【請求項８】
前記カバーと前記こしきは個別の単体であることを特徴とする請求項１記載の散熱機能を具えたローター機構。
【請求項９】
前記カバーと前記こしき間には結合剤を塗布することを特徴とする請求項８記載の散熱機能を具えたローター機構。
【請求項１０】
前記カバーと前記こしきは一体成型であることを特徴とする請求項１記載の散熱機能を具えたローター機構。
【請求項１１】
前記突起部の頂点及び前記欠口の辺縁は傾斜状を呈することを特徴とする請求項１記載の散熱機能を具えたローター機構。
【請求項１２】
前記突起部の頂点及び前記欠口の辺縁は非傾斜状を呈することを特徴とする請求項１記載の散熱機能を具えたローター機構。
【発明の詳細な説明】
【技術分野】
【０００１】
本発明は一種の散熱機能を具えたローター機構に関する。特に一種のローター作動時に発生する熱量を散熱可能なローター組合せ構造に係る。
【背景技術】
【０００２】
図１に示すように、公知のローター組合せ構造はファンフレーム１１、こしき１２を含む。
該ファンフレーム１１内にはサポート台１１１を設置し、該サポート台１１１上には中空の軸筒１１２を設置する。かつ該軸筒１１２内にはベアリングを設置し、該軸筒１１２外にはモーター固定子１３を嵌設し、これにより該モーター固定子１３は該サポート台１１１上に位置する。該こしき１２は片側が封鎖され片側が開放されたカバー体を呈し、内部には片側が封鎖され片側が開放されたカバー１４を設置する。該カバー１４内側周囲には環状を呈したモーターローター１５を設置し、該こしき１２外には放射状を呈して排列する複数のファン羽１２１を形成する。軸芯１６の一端は該こしき１２及び該カバー１４に接続し、反対端は該ベアリング１１３に貫通設置され、該こしき１２及び該カバー１４により該サポート台１１１上に可動接続される。
しかし、上記公知構造には問題が存在する。すなわち、該モーター固定子１３と該モーターローター１５がフィールド作用を生じると、フェーズの変化が該こしき１２及び該カバー１４の回転を連動し、同時に該ファン羽１２１を回転させ流体に移動を生じさせるため、散熱を待つ物体に対して散熱機能を生じるが、該モーターローター１３と該モーター固定子１３間の運転もまた熱量を生じ、該カバー１４は該こしき１２内に覆われる構造であるため、この熱量と外界との熱交換率が低くなってしまう。そのため、大量の熱量が該カバー１４内に覆われることになり、それ自体の使用寿命を短縮することになり、さらにはシステム内の熱量をも増加させてしまう。
【発明の開示】
【発明が解決しようとする課題】
【０００３】
本発明は散熱機能を具えたローター機構を提供する
それは、こしきに貫通孔を、さらにカバーには欠口を開設することにより、流体を出入りさせ、散熱の特性を達成し、
またそれは、こしきの貫通孔の位置とカバーの欠口の位置はずれているため、該貫通孔及び該欠口を通しての該こしきと該カバー空間室への異物の落下を防止することができる。
本発明は上記構造の問題点を解決した散熱機能を具えたローター機構を提供するものである。
【課題を解決するための手段】
【０００４】
上記課題を解決するため、本発明は下記の散熱機能を具えたローター機構を提供する。
それは主に少なくともこしき、カバーを含み、
該カバーは封鎖側及び開放側を具え、該封鎖側及び該開放側間には側壁を形成し、かつ該封鎖側は少なくとも一辺が該封鎖側と接続する複数の突起部を形成し、該突起部の該封鎖側と接続しない側は該封鎖側を貫通し、欠口を形成し、
該こしきは封鎖端及び開放端を具え、該封鎖端と該開放端間には肩壁を接続し、該こしきは該カバーの外表面に設置し、該こしきの封鎖端には該貫通孔を形成し、かつ該こしきの貫通孔は該カバーの欠口上方に正対応或いは位置がずれた状態を形成し、
該カバーの欠口と該こしきの貫通孔より流体は出入りし、ローター内の流体を対流作用を生じ、散熱効果を達成することを特徴とする散熱機能を具えたローター機構である。
【発明の効果】
【０００５】
上記のように、本発明はこしきに貫通孔を、さらにカバーには欠口を開設することにより、流体を出入りさせ、散熱の特性を達成することができ、さらに、こしきの貫通孔の位置とカバーの欠口の位置はずれているため、該貫通孔及び該欠口を通しての該こしきと該カバー空間室への異物の落下を防止することができる。
【発明を実施するための最良の形態】
【０００６】
図２、３に示すように、本発明はこしき２１、カバー２２を含む。
該カバー２２は封鎖側２２１及び開放側２２２を具える。該封鎖側２２１及び該開放側２２２間には側壁２２３を形成し、かつ該封鎖側２２１と該開放側２２２及び該側壁２２３間には空間室２２４を形成する。さらに、該封鎖側２２１は該カバー２２の頂上壁で、その上には少なくとも一辺が該封鎖側２２１と接続する複数の突起部２２５を形成する。該突起部２２５の該封鎖側２２１と接続しない側は該封鎖側２２１を貫通し、欠口２２６を形成する。該欠口２２６は該カバー２２周囲外側に向かい、軸芯２６は該封鎖側２２１の中心に接続する。
該こしき２１は封鎖端２１１及び開放端２１２を具える。該封鎖端２１１と該開放端２１２間には肩壁２１３を接続する。該封鎖端２１１と該開放端２１２及び該肩壁２１３間には空間室２１４を形成し、該カバー２２を収容する。すなわち、該こしき２１の該封鎖端２１１と該肩壁２１３はそれぞれ該カバー２２の封鎖側２２１及び該側壁２２３外表面に設置し、該封鎖端２１１は該こしき２１の頂点壁を形成し、該封鎖端２１１を貫通する貫通孔２１５を設置する。該貫通孔２１５は径方向で該封鎖端２１１に設置し、その内壁は該こしき２１外側に向かって傾斜する。
該こしき２１と該カバー２２間には結合剤を塗布し、両者の結合を安定させることができる。かつ該こしき２１の貫通孔２１５は該カバー２２の欠口２２６上方にちょうど対応する。
【０００７】
続いて図２、４に示すように、ファンモーターのモーターローター２３は該カバー２２の側壁２２３内面に設置する。該ファンのモーター固定子２４はベース２５上に設置する。該ベース２５上にはベアリング２８を具える軸筒２７を設置し、軸芯２６は該ベアリング２８を貫通する。これにより、該こしき２１及び該カバー２２は該ベース２５上に可動設置され、延いては該モーター固定子２４とモーターローター２３間にはフィールド連接が形成される。
該モーター固定子２４と該モーターローター２３がフィールドを生じると該こしき２１及び該カバーの回転を連動し、流体を移動させる。該モーターローター２３と該モーター固定子２４間の回転は物理変化により磁力作用が熱量に変化し、該カバー２２の該空間室２２４内の流体温度は上昇する。温度上昇後の流体は該こしき２１及び該カバー２２の回転により移動し、かつ回転作動により遠心分離状の移動を形成するため、温度上昇後の流体の横方向への圧力は大きくなる。すなわち、該カバー２２の内側周囲の流体密度は増加し、該カバー２２の欠口２２６へと向かい流動する。遠心分離状流動を行う流体が該欠口２２６を通過する時、該突起部２２５の傾斜方向及び内壁が傾斜状を呈する貫通孔２１５のリードを受け、該温度上昇後の流体は、該貫通孔２１５及び該欠口２２６を迅速に通過し、外に向かって熱交換を行う。こうして、該モーターローター２３と該モーター固定子２４間の熱量を大幅に減少させることができ、散熱効率を向上させ、使用寿命を延長することができる。
【０００８】
図５に示す該こしき２１の貫通孔２１５内壁は非傾斜状を呈するが、同様に流体を出入りさせ、散熱効率を向上させることができる。
さらに図６に示す本発明最適実施例のこしき２１の貫通孔２１５は該カバー２２の欠口２２６と時計方向の移動を行い、すなわち該こしき２１の貫通孔２１５は該カバー２２の欠口２２６外側向きに設置する。こうして、横方向の圧力を一層大きくされた流体は外向きに熱対流作用を生じ、該モーターローター２３と該モーター固定子２４間の熱量を減少させ、散熱効率を向上させ、使用寿命を延長することができる。同時に、該貫通孔２１５及び該欠口２２６を通しての該カバー２２の空間室２２４内への異物の落下を防止することができ、該モーターローター２３及び該モーター固定子２４間の運転への悪影響を未然に防ぐことができる。
【０００９】
次に図７、８、９に示すように、本発明第二最適実施例の全体構造と機能及び実施形態は上記と同様である。両者の異なる点は以下の通りである。
それは該こしき２１の貫通孔３１５及び該該カバー２２の欠口３２６及び突起部３２５は軸方向に放射状に排列し、それぞれ該封鎖端２１１及び該封鎖側２２１(図７、８参照)において設置し、かつ該貫通孔３１５と該欠口３２６及び該突起部３２５は対応して設置される(図９参照)。
さらに図１０，１１、１２に示すように、ファンモーターの該モーターローター２３は該カバー２２内に設置され、ファンの該モーター固定子２４は該ベース２５上に設置される。しかも該ベース２５上にはベアリング２８を具えた軸筒２７を設置し、該軸芯２６は該ベアリングを貫通する。これにより、該こしき２１及び該カバー２２は該ベース２５上に可動設置され、該モーターローター２３と該モーター固定子２４間は磁性連接を形成する。
該モーター固定子２４と該モーターローター２３がフィールドを生じると該こしき２１及び該カバーの回転を連動し、流体を移動させる。該モーターローター２３と該モーター固定子２４間の回転は物理変化により磁力作用が熱量に変化し、該カバー２２の該空間室２２４内の流体温度は上昇する。温度上昇後の流体は該こしき２１及び該カバー２２の回転により移動し、かつ回転作動により遠心分離状の移動を形成するため、温度上昇後の流体の横方向への圧力は大きくなる。すなわち、該カバー２２の内側周囲の流体密度は増加し、かつ該カバー２２の欠口３２６及び該突起部３２５は軸方向に放射状に排列するため、該傾斜状の突起部３２５と内壁が傾斜状を呈する貫通孔３１５のリードを受け、該温度上昇後の流体は強制対流の作用を生じ、該空間室２２４内の温度上昇後の流体は迅速に外に向かって流出し熱交換効率を向上させる。こうして、該モーターローター２３と該モーター固定子２４間の作動が生じる熱量を大幅に減少させ、散熱効率を向上させ、使用寿命を延長することができる。
【００１０】
本最適実施例中の貫通孔３１５及び欠口３２６及び突起部３２５は図９に示す正対応位置に設置可能である他、上記最適実施例に示すように時計回りに移動させることもできる(図１３参照)。これによっても、該モーターローター２３と該モーター固定子２４間の熱量を排除可能で、散熱効率を向上させ、異物落下を防ぐ特性をも具える。
上記の２最適実施例のこしき２１とカバー２２は個別の単体とすることができる他、一体成型とすることもできる。また、突起部２２５、３２５頂点及び欠口２２６、３２５辺縁も傾斜状或いは非傾斜状の様態とすることができる。これらは本発明の変化で、本発明の範囲を離脱するものではない。
以上は本発明の最適実施例を述べたまでで、本発明を利用する上記の方法、形状、構造、装置のすべての変化は本発明の権利範囲に含まれるものとする。
【図面の簡単な説明】
【００１１】
【図１】公知のファンローター構造の断面指示図である。
【図２】本発明最適実施例の立体分解局部断面指示図である。
【図３】図２の組合せ断面指示図である。
【図４】本発明最適実施例をファンモーターに応用する断面指示図である。
【図５】本発明最適実施例のこしきの貫通孔の別種の実施様態の断面指示図である。
【図６】本発明最適実施例の貫通孔と欠口位置が時計回りにずれた断面分解指示図である。
【図７】本発明第二最適実施例の断面分解指示図である。
【図８】本発明第二最適実施例の断面組合せ指示図である。
【図９】図８のa-a線における断面指示図である。
【図１０】本発明第二最適実施例をファンモーターに応用する立体分解指示図である。
【図１１】本発明第二最適実施例をファンモーターに応用する立体組合せ指示図である。
【図１２】図１１のb-b線における断面指示図である。
【図１３】本発明第三最適実施例の貫通孔と欠口位置が時計回りにずれた局部断面指示図である。
【符号の説明】
【００１２】
１１  ファンフレーム
１１１  サポート台
１１２  軸筒
１１３  ベアリング
１２  こしき
１２１  ファン羽
１３  モーター固定子
１４  カバー
１５  モーターローター
１６  軸芯
２１  こしき
２１１  封鎖端
２１２  開放端
２１３  肩壁
２１４  空間室
２１５  貫通孔
２２  こしき
２２１  封鎖側
２２２  開放側
２２３  側壁
２２４  空間室
２２５  突起部
２２６  欠口
２３  モーターローター
２４  モーター固定子
２５  ベース
２６  軸芯
２７  軸筒
２８  ベアリング
３１５  貫通孔
３２５  突起部
３２６  欠口
【図１】
2006161784.tif 000003
【図２】
2006161784.tif 000004
【図３】
2006161784.tif 000005
【図４】
2006161784.tif 000006
【図５】
2006161784.tif 000007
【図６】
2006161784.tif 000008
【図７】
2006161784.tif 000009
【図８】
2006161784.tif 000010
【図９】
2006161784.tif 000011
【図１０】
2006161784.tif 000012
【図１１】
2006161784.tif 000013
【図１２】
2006161784.tif 000014
【図１３】
2006161784.tif 000015